(57)【要約】【課題】発光部と電源部とが互いの発熱の煽りを受けにくくすることができる照明装置を提供する。【解決手段】発光部１１２を含む光源１１０を有し、造営材に設けられた貫通孔２ａに取り付けられる灯具ユニット１００と、灯具ユニット１００に電力を供給する電源部２１０を有する電源ユニット２００とを備える照明装置１であって、貫通孔２ａの貫通方向から見たときに、発光部１１２は、貫通孔２ａの中心Ｐ１からずれて配置されており、貫通孔２ａの貫通方向から見たときに、発光部１１２の中心Ｐ２と貫通孔２ａの中心Ｐ１とを通る直線を第１直線Ｌ１に直交する第２直線Ｌ２を境界にして分けられた２つの領域を第１領域Ａ１及び第２領域Ａ２とすると、灯具ユニット１００が貫通孔２ａに取り付けられたときに、発光部１１２は、第１領域Ａ１に存在し、電源部２１０は、第２領域Ａ２に存在する。【選択図】図４
2020102391.tif 000002
【特許請求の範囲】
【請求項１】
発光部を含む光源を有し、造営材に設けられた貫通孔に取り付けられる灯具ユニットと、
前記灯具ユニットに電力を供給する電源部を有する電源ユニットとを備え、
前記貫通孔の貫通方向から見たときに、前記発光部は、前記貫通孔の中心からずれて配置されており、
前記貫通孔の貫通方向から見たときに、前記発光部の中心と前記貫通孔の中心とを通る直線を第１直線とし、前記貫通孔の中心を通り且つ前記第１直線に直交する直線を第２直線とし、前記第２直線を境界にして分けられた２つの領域を第１領域及び第２領域とすると、
前記灯具ユニットが前記貫通孔に取り付けられたときに、前記発光部は、前記第１領域に存在し、前記電源部は、前記第２領域に存在する、
照明装置。
【請求項２】
前記発光部は、複数の発光素子と、前記複数の発光素子を一括封止する封止部材とを有する、
請求項１に記載の照明装置。
【請求項３】
前記電源ユニットは、灯具ユニットに対して相対的に移動可能な状態で接続されている、
請求項１又は２に記載の照明装置。
【請求項４】
前記灯具ユニットは、固定端を備え、
前記電源ユニットは、前記固定端を基点に相対的に移動可能であり、
前記貫通孔の貫通方向から見たときに、前記固定端は、前記第２領域に位置し且つ前記貫通孔と重ならない領域に位置する
請求項１〜３のいずれか１項に記載の照明装置。
【請求項５】
前記灯具ユニットは、前記灯具ユニットを前記貫通孔に取り付けるための取付バネを有し、
前記取付バネは、前記第２直線と重なる位置に配置されている、
請求項１〜４のいずれか１項に記載の照明装置。
【請求項６】
前記電源ユニットは、前記灯具ユニットに対して固定して接続されており、
前記電源部は、前記第１直線と重なる位置に配置されている、
請求項１又は２に記載の照明装置。
【発明の詳細な説明】
【技術分野】
【０００１】
本発明は、照明装置に関し、特に天井等の造営材に埋め込み配設される照明装置に関する。
【背景技術】
【０００２】
従来、照明装置として、ダウンライト等の天井に埋め込み配設された天井埋込型の照明器具が知られている。天井埋込型の照明器具は、天井の貫通孔に取り付けられた灯具ユニットと、天井裏に配置された電源ユニットと、灯具ユニットと電源ユニットとを電気的に接続する電力線とを備える（例えば特許文献１参照）。灯具ユニットは、発光部を有する光源と、光源を保持する器具本体と、器具本体を天井の貫通孔に保持させるための枠体とを有する。また、電源ユニットは、発光部を発光させるための電力を生成する電源部と、電源部を収納する電源ボックスとを有する。
【先行技術文献】
【特許文献】
【０００３】
【特許文献１】特開２０１７−０５０１４６号公報
【発明の概要】
【発明が解決しようとする課題】
【０００４】
ダウンライト等の照明装置は、点灯させることによって光源の発光部で熱が発生するとともに電源部で熱が発生する。このため、発光部で発生した熱と電源部で発生した熱とが互いに煽り合って光源及び電源部を所定の温度以下に収めることができずに、照明装置の高出力化を図ることが難しい場合がある。
【０００５】
特に、光源を保持する器具本体は発光部で発生した熱を放熱するためのヒートシンクとしても機能するために器具本体には放熱フィン等が設けられているが、断熱施工により天井裏に配置された断熱材によって器具本体が覆われてしまう場合や天井懐が狭い場合には、発光部で発生した熱を所望に放熱させることができなくなる。この場合、照明装置の高出力化を図ることが一層困難になる。このように、断熱施工対応と高出力化とを両立させる照明装置を実現することが難しい。 
【０００６】
本発明は、このような課題を解決するためになされたものであり、発光部と電源部とが互いの発熱の煽りを受けにくくすることができる照明装置を提供することを目的とする。
【課題を解決するための手段】
【０００７】
上記目的を達成するために、本発明に係る照明装置の一態様は、発光部を含む光源を有し、造営材に設けられた貫通孔に取り付けられる灯具ユニットと、前記灯具ユニットに電力を供給する電源部を有する電源ユニットとを備え、前記貫通孔の貫通方向から見たときに、前記発光部は、前記貫通孔の中心からずれて配置されており、前記貫通孔の貫通方向から見たときに、前記発光部の中心と前記貫通孔の中心とを通る直線を第１直線とし、前記貫通孔の中心を通り且つ前記第１直線に直交する直線を第２直線とし、前記第２直線を境界にして分けられた２つの領域を第１領域及び第２領域とすると、前記灯具ユニットが前記貫通孔に取り付けられたときに、前記発光部は、前記第１領域に存在し、前記電源部は、前記第２領域に存在する。
【発明の効果】
【０００８】
本発明の一態様によれば、発光部と電源部とが互いの発熱の煽りを受けにくくして発光部及び電源部を所定の温度以下に容易に収めることができるので、断熱施工対応と高出力化とを両立した照明装置を実現することができる。
【図面の簡単な説明】
【０００９】
【図１】実施の形態に係る照明装置の外観斜視図である。
【図２】実施の形態に係る照明装置の上面図である。
【図３】実施の形態に係る照明装置の断面図である。
【図４】実施の形態に係る照明装置における光源（発光部）と電源部との位置関係を示す図である。
【図５】実施の形態に係る照明装置において、電源ユニットを可動させたときの一例を示す図である。
【発明を実施するための形態】
【００１０】
以下、本発明の実施の形態について、図面を参照しながら説明する。以下に説明する実施の形態は、いずれも本発明の一具体例を示すものである。したがって、以下の実施の形態で示される数値、形状、材料、構成要素、構成要素の配置位置及び接続形態等は、一例であって本発明を限定する主旨ではない。よって、以下の実施の形態における構成要素のうち、本発明の最上位概念を示す独立請求項に記載されていない構成要素については、任意の構成要素として説明される。
【００１１】
また、各図は、模式図であり、必ずしも厳密に図示されたものではない。各図において、実質的に同一の構成に対しては同一の符号を付しており、重複する説明は省略又は簡略化される場合がある。
【００１２】
（実施の形態）
まず、実施の形態に係る照明装置１の概略構成について、図１〜図３を用いて説明する。図１は、実施の形態に係る照明装置の外観斜視図である。図２は、同照明装置１の上面図である。図３は、同照明装置１の断面図である。なお、図３では、照明装置１を天井に設置したときの状態を示している。また、図３は、照明装置１の断面部分のみを図示している。ただし、図３において、電力線３００は、便宜上、断面視ではなく側面視の状態で示されている。
【００１３】
図１〜図３に示すように、照明装置１は、例えば建物の天井等の造営材に埋め込み配設されることにより下方（床や壁等）に光を照射するダウンライト等の埋込型照明器具である。本実施の形態において、照明装置１は、天井２に埋め込み配設されたダウンライトであり、主に壁に向けて照明光を照射する。なお、照明装置１は、例えば室内に設置されるが、屋外に設置されてもよい。
【００１４】
照明装置１は、発光部１１２を含む光源１１０を有する灯具ユニット１００と、電源部２１０を有する電源ユニット２００とを備える。本実施の形態において、灯具ユニット１００と電源ユニット２００とは、構造上分離されており、天井２の異なる箇所に設置される。
【００１５】
具体的には、図３に示すように、灯具ユニット１００は、天井２に設けられた貫通孔２ａに対して、灯具ユニット１００に備え付けられた取付バネ１８０によって取り付けられている。つまり、灯具ユニット１００は、貫通孔２ａに埋め込み配設される。一方、電源ユニット２００は、天井２の裏面（天井裏）に配置される。貫通孔２ａは、灯具ユニット１００を天井２に取り付けるための開口部であり、天井２を貫通している。貫通孔２ａは、灯具ユニット１００が埋め込み配設される埋込穴であり、例えば円形開口の円形孔である。また、図３に示すように、貫通孔２ａの孔軸Ｊ１の方向（貫通方向）は、鉛直方向である。つまり、貫通孔２ａの孔軸Ｊ１は、天井２の天井面２ｂに垂直である。
【００１６】
灯具ユニット１００は、光源１１０を有する灯体であり、照明光を出射する。例えば、灯具ユニット１００は、照明光として白色光を照射する。本実施の形態において、灯具ユニット１００の光軸Ｊ２は、天井面２ｂに対して傾斜している。したがって、灯具ユニット１００は、天井２から斜め方向に向かって照明光を照射する。
【００１７】
電源ユニット２００は、光源１１０を発光させるための電力を生成する電源機能を有する。具体的には、電源ユニット２００は、電源部２１０によって、電源端子台２３０から供給される商用電源からの交流電力を直流電力に変換する。
【００１８】
灯具ユニット１００と電源ユニット２００とは、電力線３００によって電気的に接続されており、電源ユニット２００で生成された直流電力は、電力線３００を介して灯具ユニット１００の光源１１０に供給される。電力線３００は、電源ケーブル等の電力供給線である。
【００１９】
電源ユニット２００は、灯具ユニット１００と別置されている。つまり、電源ユニット２００は、灯具ユニット１００の外部に設置される。本実施の形態において、電源ユニット２００は、灯具ユニット１００に対して相対的に移動可能な状態で、灯具ユニット１００に接続されている。これにより、電源ユニット２００を設置する位置を調整することができる。具体的には、灯具ユニット１００と電源ユニット２００とは電力線３００によって接続されているので、電源ユニット２００は、電力線３００の長さの範囲内で動かすことができる。
【００２０】
以下、照明装置１の各構成部材の具体的な構成について、図１〜図３を参照して詳細に説明する。なお、詳細は図示も説明もされていないが、照明装置１には、各構成部材同士を連結固定するためのネジが適宜設けられている。
【００２１】
［灯具ユニット］
図１〜図３に示すように、灯具ユニット１００は、光源１１０と、器具本体１２０と、反射板１３０と、透光カバー１４０と、枠体１５０と、取付バネ１８０とを有する。
【００２２】
［光源］
図３に示すように、光源１１０は、例えば照明光として白色光を照射する光源モジュールである。本実施の形態において、光源１１０は、ＬＥＤによって構成されたＬＥＤモジュール（ＬＥＤ光源）である。
【００２３】
光源１１０は、基板１１１と、発光部１１２とを備える。本実施の形態において、光源１１０は、ＬＥＤが基板１１１に直接実装されたＣＯＢ（Ｃｈｉｐ  Ｏｎ  Ｂｏａｒｄ）構造である。
【００２４】
基板１１１は、ＬＥＤを実装するための実装基板であって、例えば、セラミックス基板、樹脂基板又はメタルベース基板等である。なお、基板１１１には、ＬＥＤを発光させるための直流電力を外部から受電するための一対の電極端子と、ＬＥＤ同士を電気的に接続するための所定のパターンの金属配線とが形成されている。一対の電極端子には、電力線３００が接続されている。
【００２５】
発光部１１２は、基板１１１に実装された複数のＬＥＤと、複数のＬＥＤを封止する封止部材とを有する。
【００２６】
ＬＥＤは、発光素子の一例であり、本実施の形態では、単色の可視光を発するベアチップである。ＬＥＤは、例えば、通電されれば青色光を発する青色ＬＥＤチップである。ＬＥＤは、例えば基板にマトリクス状に複数個配置されている。なお、ＬＥＤは、少なくとも１つ配置されていればよい。
【００２７】
封止部材としては、例えば透光性樹脂が用いられる。本実施の形態における封止部材は、ＬＥＤからの光を波長変換する波長変換材として蛍光体を含んでいる。封止部材は、例えば、シリコーン樹脂に蛍光体を分散させた蛍光体含有樹脂である。蛍光体としては、ＬＥＤが青色光を発光する青色ＬＥＤチップである場合、白色光を得るために、例えばＹＡＧ系の黄色蛍光体を用いることができる。この場合、黄色蛍光体が、青色ＬＥＤチップが発した青色光の一部を吸収して励起されて黄色光を放出する。そして、この黄色光と黄色蛍光体に吸収されなかった青色光とが混ざって白色光となって光源１１０から出射する。
【００２８】
本実施の形態において、封止部材は、全てのＬＥＤを一括封止するように平面視形状が円形となるように形成されている。封止部材の外形は、発光部１１２の外形を規定する。なお、封止部材は、円形以外の形状（例えば矩形状）となるようにＬＥＤを一括封止してもよい。また、封止部材は、全てのＬＥＤを一括封止するのではなく、複数のＬＥＤを列ごとにライン状に封止してもよいし、各ＬＥＤを１つずつ個別に封止してもよい。
【００２９】
このように構成される光源１１０は、器具本体１２０に取り付けられている。本実施の形態では、反射板１３０によって光源１１０を器具本体１２０に押さえつけ、反射板１３０と器具本体１２０とをネジ等によって固定することで、光源１１０を器具本体１２０の所定の位置に固定することができる。なお、反射板１３０とは別に設けたホルダによって光源１１０を器具本体１２０に固定してもよい。
【００３０】
光源１１０は、電源ユニット２００の電源部２１０から供給される電力によって発光する。光源１１０（発光部１１２）が発した光は、透光カバー１４０を透過して照明装置１の外部に出射される。
【００３１】
また、本実施の形態において、光源１１０は、天井面２ｂに対して傾斜した状態で器具本体１２０に取り付けられている。つまり、光源１１０の発光部１１２の発光面は、鉛直方向を法線とする水平面に対して傾斜している。したがって、灯具ユニット１００が貫通孔２ａに取り付けられたときに、光源１１０の発光部１１２の光軸は、天井面２ｂの法線と平行ではなく、天井面２ｂに対して傾斜している。すなわち、光源１１０（発光部１１２）の光軸は、天井２の貫通孔２ａの開口面に対して傾斜している。なお、光源１１０（発光部１１２）の光軸は、灯具ユニット１００の光軸Ｊ２と同じである。
【００３２】
また、光源１１０の発光部１１２は、貫通孔２ａの孔軸Ｊ１からずれて配置されている。つまり、貫通孔２ａの孔軸Ｊ１は、光源１１０の発光部１１２と交差していない。
【００３３】
［器具本体］
図３に示すように、器具本体１２０は、光源１１０が取り付けられる基台である。本実施の形態において、器具本体１２０は、灯具ユニット１００の外郭を構成する外郭部材である。
【００３４】
器具本体１２０は、光源１１０を保持する保持部材として機能するとともに、光源１１０で発生した熱を放熱するヒートシンクとしても機能する。したがって、器具本体１２０は、アルミニウム等の金属材料又は高熱伝導樹脂等の熱伝導率の高い材料によって作製されているとよい。本実施の形態において、器具本体１２０は、アルミダイカスト製である。
【００３５】
器具本体１２０は、光源１１０が収納される凹部１２１を有する。具体的には、器具本体１２０は、円盤状の底部１２２と、内面が略円筒面状の側壁部１２３とを有しており、凹部１２１は、底部１２２と側壁部１２３とによって囲まれる領域である。なお、凹部１２１には、光源１１０だけではなく、反射板１３０の一部も収納される。
【００３６】
底部１２２は、凹部１２１の底面をなす第１面１２２ａと、第１面１２２ａに背向する第２面１２２ｂとを有する。第１面１２２ａは、器具本体１２０の内面である。第２面１２２ｂは、器具本体１２０の外面であって、外部に露出する露出面である。また、第２面１２２ｂは、器具本体１２０の上面である。
【００３７】
底部１２２には、光源１１０が載置される載置部１２４が設けられている。具体的には、載置部１２４は、底部１２２の第１面１２２ａ（凹部１２１の底面）から透光カバー１４０に向かって突出するように形成されている。光源１１０は、この突出した載置部１２４の頂面に載置されている。
【００３８】
光源１１０と載置部１２４との間には熱伝導シート又は熱伝導板等の熱伝導部材１６０が挿入されている。熱伝導部材１６０を設けることで、光源１１０で発生する熱を効率良く器具本体１２０に伝導させることができる。なお、熱伝導部材１６０は、グリース等であってもよい。
【００３９】
器具本体１２０における凹部１２１に背向する外面には、鉛直方向を法線とする水平面に対して傾斜する傾斜面が含まれている。具体的には、器具本体１２０における底部１２２の第２面１２２ｂに傾斜面が含まれており、この傾斜面は、天井面２ｂに対して傾斜している。つまり、第２面１２２ｂの傾斜面は、天井２の貫通孔２ａの開口面に対して傾斜している。なお、本実施の形態では、底部１２２の第２面１２２ｂの全体が傾斜しており、第２面１２２ｂ全体が傾斜面になっている。
【００４０】
また、本実施の形態では、底部１２２そのものが天井面２ｂに対して傾斜した状態で設けられている。このため、第２面１２２ｂが天井面２ｂに対して傾斜しているだけではなく、載置部１２４が形成された第１面１２２ａも天井面２ｂに対して傾斜している。
【００４１】
器具本体１２０は、電力線３００が挿通される挿通孔１２５を有する。挿通孔１２５は、電力線３００を配線する配線口であり、器具本体１２０を貫通している。本実施の形態において、挿通孔１２５は、器具本体１２０の底部１２２を貫通している。具体的には、挿通孔１２５は、底部１２２の第２面１２２ｂから第１面１２２ａまでを貫通するように形成されている。なお、挿通孔１２５は、平面視形状が矩形状の開口となるように形成されているが、挿通孔１２５の開口形状は、矩形状に限るものではなく、例えば円形状であってもよい。
【００４２】
挿通孔１２５は、第２面１２２ｂの傾斜面に設けられている。したがって、挿通孔１２５の第２面１２２ｂにおける開口面は、傾斜している。
【００４３】
また、挿通孔１２５には、シール部材１７０が配置されている。シール部材１７０は、挿通孔１２５を塞ぐ蓋として機能する。シール部材１７０を挿通孔１２５に配置することで、挿通孔１２５を封止することができる。シール部材１７０には、電力線３００が挿通する貫通孔を有する。本実施の形態において、電力線３００は２本であるので、シール部材１７０には２つの貫通孔が設けられている。電力線３００は、シール部材１７０と隙間を空けることなく貫通孔に挿通される。
【００４４】
シール部材１７０は、例えばシリコーンやエラストマー等の弾性を有する絶縁樹脂材料によって形成されている。したがって、シール部材１７０の貫通孔に挿通される電力線３００は、シール部材１７０の弾性による押圧によってシール部材１７０と隙間なく密着している。
【００４５】
このように、シール部材１７０を設けることで、挿通孔１２５に蓋をすることができるので、器具本体１２０の第２面１２２ｂに水が存在していても挿通孔１２５から器具本体１２０の内部に水が浸入することを抑制することができる。本実施の形態では、シール部材１７０には外方に向かって突出部が設けられているので、挿通孔１２５とシール部材１７０の上面との間に水が溜まることを抑制できるとともに、挿通孔１２５から器具本体１２０内に水が浸入することを抑制できる。
【００４６】
さらに、本実施の形態では、器具本体１２０の第２面１２２ｂ（上面）が傾斜面になっているので、雨漏りや結露等によって第２面１２２ｂに水が付着したとしても、水を傾斜面に沿って下方に流すことができるので、第２面１２２ｂに水が溜まって挿通孔１２５から器具本体１２０内に水が浸入したり、第２面１２２ｂなどが腐食したりすることを抑制できる。
【００４７】
また、器具本体１２０には、器具本体１２０の一部から横方向に突出する放熱部１２６が設けられている。つまり、器具本体１２０は、上端部が折れ曲がるように形成されており、この器具本体１２０の折れ曲がった部分が放熱部１２６となっている。具体的には、放熱部１２６は、側壁部１２３から横方向に突出して水平面と略平行に延在するように形成されている。つまり、放熱部１２６は、天井面２ｂに沿って延在している。本実施の形態において、光源１１０の発光部１１２は貫通孔２ａの孔軸Ｊ１からずれて配置されており、放熱部１２６は、光源１１０が位置する方向とは反対方向に延在している。
【００４８】
このように、器具本体１２０の一部から横方向に突出する放熱部１２６を設けることによって、断熱施工により天井裏に配置された断熱材によって器具本体１２０が覆われてしまう場合や天井懐が狭い場合であっても、器具本体１２０の放熱容量（包絡体積）を稼ぐことができるので光源１１０で発生した熱を効率良く放熱させることができる。
【００４９】
本実施の形態において、底部１２２が水平面（天井面２ｂ）に対して傾斜しているので、水平面と略平行に延在する放熱部１２６は、底部１２２に対して傾斜している。したがって、底部１２２の外面（第２面１２２ｂ）は、放熱部１２６の外面から折れ曲がるように傾斜している。
【００５０】
また、器具本体１２０は、複数の放熱フィン１２７を有する。複数の放熱フィン１２７も放熱部として機能する。複数の放熱フィン１２７の各々は、平板状であり、器具本体１２０の外面に立設されている。複数の放熱フィン１２７は、器具本体１２０と一体的に設けられている。このように、器具本体１２０に複数の放熱フィン１２７を設けることによって、光源１１０で発生する熱を効率よく放熱させることができる。
【００５１】
本実施の形態において、複数の放熱フィン１２７の各々の少なくとも一部は、第２面１２２ｂの傾斜面に位置している。複数の放熱フィン１２７の各々は、第２面１２２ｂの傾斜面の傾斜方向に延在する部分を有する。具体的には、複数の放熱フィン１２７の各々は、凹部１２１に背向する外面（つまり、光源１１０に対向する部分の第２面１２２ｂ）から放熱部１２６にわたって延在している。つまり、複数の放熱フィン１２７は、器具本体１２０における凹部１２１に背向する部分と放熱部１２６とに設けられている。このように、放熱フィン１２７を光源１１０に対向する部分から放熱部１２６にわたって設けることで、光源１１０で発生する熱を効率良く放熱フィン１２７に伝導させて放熱させることができる。本実施の形態では、３つの放熱フィン１２７が設けられている。
【００５２】
図１〜図３に示すように、複数の放熱フィン１２７のうち隣り合う２つの放熱フィン１２７の間には、電力線３００が配置されている。つまり、電源ユニット２００から導出された電力線３００は、隣り合う２つの放熱フィン１２７の間を通って挿通孔１２５に挿通されて光源１１０に接続されている。
【００５３】
また、放熱部１２６の先端部には、電力線３００を保持するための保持部１２８（電力線保持部）が設けられている。本実施の形態において、保持部１２８は、放熱部１２６の先端部から突出させた突出部に設けられた貫通孔である。この貫通孔に電力線３００を通すことで、電力線３００の動きを規制して電力線３００を保持することができる。
【００５４】
保持部１２８は、灯具ユニット１００の固定端であり、電源ユニット２００は、この固定端（保持部１２８）を基点に相対的に移動可能となっている。これにより、保持部１２８を支点にして、保持部１２８から電源ユニット２００までの電力線３００の長さの範囲内で電源ユニット２００を自由に可動させることができる。具体的には、保持部１２８を支点にして電源ユニット２００を天井裏面（水平面）に沿って可動させることができる。なお、貫通孔である保持部１２８に電力線３００を単に挿通させるだけではなく、保持部１２８で電力線３００を固定してもよい。このように、保持部１２８で電力線３００を固定することで、電源ユニット２００の移動により、電力線３００に接続される光源１１０にストレスがかかることを抑制できる。更に、電力線３００は、保護チューブに挿入されて、挿通孔１２５から電源ユニット２００まで接続し、電力線３００が挿入された保護チューブを保持部１２８で固定してもよい。
【００５５】
［反射板］
図３に示される反射板１３０は、光源１１０から出射した光を反射する反射部材である。具体的には、反射板１３０の内面は、光源１１０からの光を反射させる反射面となっており、反射板１３０は、反射面によって光源１１０から出射した光を所望の方向に向くように制御している。一例として、反射板１３０は、内面形状が円錐台形状であり、内径が光入射側（光源側）の開口部から光出射側の開口部に向かって漸次大きくなるように構成されている。
【００５６】
反射板１３０は、例えば樹脂材料又は金属材料によって形成することができる。具体的には、反射板１３０は、ＰＢＴ（ポリブチレンテレフタレート）等の樹脂材料を用いた作製された白色の樹脂成型品であってもよいし、樹脂成型品の内面にアルミニウム等の金属膜が形成されたものであってもよいし、アルミニウム等の金属材料によって形成された金属部品であってもよい。
【００５７】
このように構成される反射板１３０は、器具本体１２０に取り付けられている。具体的には、反射板１３０は、光源１１０を押さえつけた状態で器具本体１２０に固定されている。
【００５８】
［透光カバー］
図３に示される透光カバー１４０は、透光性を有する材料によって形成された透光部材である。具体的には、透光カバー１４０は、アクリル（ＰＭＭＡ）又はポリカーボネート（ＰＣ）等の透明樹脂材料又はガラス材料によって形成することができる。
【００５９】
透光カバー１４０は、光源１１０を覆うように配置される。具体的には、透光カバー１４０は、反射板１３０の光出射側の開口部を覆うように、枠体１５０に取り付けられている。言い換えると、透光カバー１４０の背面側に光源１１０が配置されている。透光カバー１４０を設けることによって光源１１０を保護することができる。なお、透光カバー１４０は、反射板１３０も覆っている。
【００６０】
本実施の形態において、透光カバー１４０は、厚みが略一定で平板状の透光板であり、枠体１５０の光源１１０側の開口部を覆うように枠体１５０に取り付けられている。なお、透光カバー１４０は、平板状の透光板に限るものではない。例えば、透光カバー１４０は、ドーム状に湾曲していてもよい。
【００６１】
また、透光カバー１４０は、透明であってもよいが、光拡散性（光散乱性）を有していてもよい。例えば、透光性樹脂材料に光反射微粒子等の光拡散材を分散させて透光カバー１４０を作製することで、透光カバー１４０として光拡散性を有する乳白の拡散カバーを得ることができる。このように、透光カバー１４０に光拡散性を持たせることで、光源１１０を直接視認されることを抑制したり、反射板１３０で集めた光を照射する壁や床に向かって柔らかく拡散したりできる。本実施の形態において、透光カバー１４０は、拡散カバーである。
【００６２】
なお、透光カバー１４０に光拡散性を持たせる場合、光拡散材を透光部材の内部に分散させた構成に限らない。例えば、透光部材の表面（内面又は外面）に光拡散材等を含む乳白色の光拡散膜を形成したり、光拡散材を用いるのではなくシボ加工処理等によって透光部材の表面に複数の微小凹凸（ドット、プリズム）を形成したりしてもよい。
【００６３】
また、透光カバー１４０は、レンズ機能を有していてもよい。例えば、透光カバー１４０に集束機能を持たせることで光源１１０からの光を集光することができ、狭配光角の照明光（スポット光）を実現できる。この場合、透光カバー１４０としては、フレネルレンズ等のレンズ部品とすることができる。また、透光カバー１４０に発散機能を持たせることで、光源１１０からの光を拡大することができ、広配光角の照明光を実現できる。
【００６４】
光源１１０から出射した光は、透光カバー１４０を透過して外部に出射する。このとき、透光カバー１４０は、光源１１０からの光によって疑似発光する面発光部として機能する。つまり、透光カバー１４０の外面は、発光面（疑似発光面）となる。
【００６５】
このように構成される透光カバー１４０は、天井面２ｂに対して傾斜して配置されている。具体的には、透光カバー１４０は、天井面２ｂに対して傾斜した状態で枠体１５０に取り付けられている。つまり、透光カバー１４０の発光面は、天井２の貫通孔２ａの開口面に対して傾斜しており、鉛直方向を法線とする水平面に対して傾斜している。このように、透光カバー１４０の発光面を傾斜させることで、灯具ユニット１００の照明光の照射方向を傾斜させることができる。
【００６６】
本実施の形態において、透光カバー１４０と光源１１０とは同じ傾斜角で傾斜している。具体的には、透光カバー１４０は、光源１１０の発光部１１２の発光面と略平行となるように配置されている。したがって、透光カバー１４０の発光面と光源１１０（発光部１１２）の発光面とは略平行であり、透光カバー１４０の光軸（中心軸）と光源１１０（発光部１１２）の光軸とは一致している。つまり、透光カバー１４０の光軸は、灯具ユニット１００の光軸Ｊ２と同じになっている。
【００６７】
［枠体］
図３に示すように、枠体１５０は、光源１１０から出射した光が通過する筒状体である。本実施の形態において、枠体１５０は、灯具ユニット１００の外郭を構成する外枠である。
【００６８】
枠体１５０の光源１１０側の開口部には透光カバー１４０が配置されている。したがって、枠体１５０には、光源１１０から出射して透光カバー１４０を透過した光が入射し、枠体１５０に入射した光は、枠体１５０内を通過して枠体１５０から外部に出射される。なお、枠体１５０は、補助反射板としても機能し、枠体１５０の内面に入射した光は枠体１５０の内面で反射して枠体１５０の外部に出射する。
【００６９】
枠体１５０には、灯具ユニット１００を天井２の貫通孔２ａに取り付けるための取付部材である取付バネ１８０が接続されている。取付バネ１８０は、例えば金属板からなる板バネである。本実施の形態では、３つの取付バネ１８０が枠体１５０の外周面に取り付けられている。具体的には、３つの取付バネ１８０は、１８０度間隔で配置された一対の取付バネ１８０と、これらの一対の取付バネ１８０の各々と９０度間隔で配置された１つの取付バネ１８０とによって構成されている。つまり、枠体１５０の周方向に沿って、０度、９０度及び１８０度の３ヵ所に取付バネ１８０が設けられている。なお、取付バネ１８０の内、前述の９０度の方向に配置された取付バネ１８０は、貫通孔２ａの貫通方向から見たときに、放熱部１２６と重なる位置に配置されている。つまり、この取付バネ１８０の１つは、放熱部１２６の下方に位置している。
【００７０】
これにより、器具本体１２０の横方向に放熱部１２６が突出することで偏荷重となった灯具ユニット１００であっても、灯具ユニット１００が傾くことなく貫通孔２ａに灯具ユニット１００を保持させることができる。しかも、照明装置１を天井裏に設置する際に貫通孔２ａに放熱部１２６を挿入する過程で、必要以上に取付バネ１８０を屈曲させることがなくなるので、取付バネ１８０が予定外の形状に変形してしまうことを抑制することができる。更には、天井２が床面に対して傾斜し、灯具ユニット１００が床面を照射する方向に配置された場合にも、安定して灯具ユニット１００を保持することができる。
【００７１】
枠体１５０は、アルミニウム等の金属材料によって構成されている。本実施の形態において、枠体１５０は、アルミダイカスト製である。本実施の形態では、枠体１５０には、白塗装が施されている。枠体１５０は、貫通孔２ａ取り付けられたときに外部に露出するため、天井２の色に合わせた塗装（黒塗装など）が施されていてもよい。なお、枠体１５０の材質は、金属材料に限るものではなく、樹脂材料であってもよい。
【００７２】
また、枠体１５０は、径方向の外向きに突出するフランジ部（鍔部）１５１を有する。フランジ部１５１は、枠体１５０の光出射側の縁部に設けられている。具体的には、フランジ部１５１は、枠体１５０の光出射側の端部から枠体１５０の外方に突出するように環状に設けられている。
【００７３】
灯具ユニット１００を天井２の貫通孔２ａに取り付ける際、枠体１５０のフランジ部１５１を天井２の天井面２ｂに係止させて枠体１５０の外周面に設けられた３つの取付バネ１８０の弾性変形させた状態で灯具ユニット１００を貫通孔２ａに挿入し、取付バネ１８０の弾性復元することで、枠体１５０が取付バネ１８０の付勢力で天井２に固定される。具体的には、バネ復元力によって天井２の貫通孔２ａの内側面を取付バネ１８０が押圧することで、灯具ユニット１００を貫通孔２ａに保持させることができる。
【００７４】
枠体１５０は、器具本体１２０の凹部１２１の開口部に取り付けられている。具体的には、枠体１５０は、器具本体１２０の側壁部１２３に取り付けられている。例えば、枠体１５０は、ねじ等によって器具本体１２０に固定されている。したがって、枠体１５０を天井２に取り付けることで、枠体１５０とともに器具本体１２０も天井２に固定される。
【００７５】
［電源ユニット］
図１〜図３に示すように、電源ユニット２００は、電源部２１０と、電源部２１０を収納する筐体２２０とを有する。上記のように、電源ユニット２００は、灯具ユニット１００の外部に設置される。したがって、電源部２１０及び筐体２２０は、灯具ユニット１００の器具本体１２０の外部に設置される。電源部２１０は、電力線３００を介して光源１１０と電気的に接続されている。
【００７６】
電源部２１０は、光源１１０を発光させるための電源装置である。具体的には、電源部２１０は、光源１１０の発光部１１２における発光素子（ＬＥＤ）を発光させるための電力を生成する電源回路によって構成されている。この場合、電源部２１０は、商用電源等の外部電源からの交流電力を、整流、平滑及び降圧等して所定レベルの直流電力に変換する。電源部２１０で生成された直流電力は、電力線３００を介して光源１１０に供給される。なお、電源部２１０には、調光回路や昇圧回路などが組み合わされていてもよい。
【００７７】
電源部２１０は、例えば、所定形状の金属配線が形成されたプリント回路基板と、プリント回路基板に実装された複数の回路素子とを有する。回路基板に実装される回路素子は、光源１１０を発光させるための電子部品であり、例えば、容量素子（電解コンデンサ、セラミックコンデンサ等）、抵抗素子（抵抗器等）、整流回路素子、コイル素子、チョークコイル（チョークトランス）、ノイズフィルタ、ダイオード、集積回路素子（ＩＣ）、又は、半導体素子（ＦＥＴ等）等である。
【００７８】
筐体２２０は、金属製又は絶縁樹脂製のケースである。本実施の形態において、筐体２２０は、金属ケースである。電源部２１０を収納する筐体２２０は、電源ボックスとして天井裏に配置される。
【００７９】
また、電源ユニット２００には、電源端子台２３０が設けられている。電源端子台２３０にはＶＶＦケーブル等の電線が接続されており、この電線によって商用電源からの交流電力が電源端子台２３０に供給される。電源端子台２３０に供給された交流電力は、電源部２１０に供給される。
【００８０】
［電力線］
図１〜図３に示すように、電力線３００は、光源１１０と電源部２１０とを電気的に接続するための導電線である。具体的には、電力線３００は、光源１１０を発光させるための直流電力を、電源部２１０から光源１１０に供給するための電源線である。具体的には、電力線３００は、器具本体１２０に設けられた挿通孔１２５に挿通されており、電力線３００の一方端は、器具本体１２０内に配置された光源１１０と電気的に接続され、電力線３００の他方端は、電源部２１０と電気的に接続される。
【００８１】
本実施の形態おいて、電力線３００は、複数である。具体的には、電力線３００は、一対設けられている。一対の電力線３００の一方は、高電位側の第１電力線であり、一対の電力線３００の他方は、低電位側の第２電力線である。一対の電力線３００の各々は、例えば、合金銅等の導電材料からなる芯線と当該芯線を被覆する絶縁性の樹脂被膜とによって構成されたリード線である。なお、電力線３００には、さらに、器具本体１２０等に接触するアース用の電線が含まれていてもよい。
【００８２】
［照明装置の特徴］
次に、本実施の形態に係る照明装置１の特徴について、図１〜図３を参照しながら、図４を用いて説明する。図４は、実施の形態１に係る照明装置１における光源１１０（発光部１１２）と電源部２１０との位置関係を示す図である。図４の（ａ）は、貫通孔２ａの貫通方向から見たときの光源１１０（発光部１１２）と電源部２１０との位置関係を示しており、図４の（ｂ）は、照明装置１を断面視したときの光源１１０（発光部１１２）と電源部２１０との位置関係を示している。なお、図４において、電源ユニット２００は、模式的に示している。
【００８３】
図４の（ａ）に示すように、照明装置１では、貫通孔２ａの貫通方向から見たとき（つまり、天井２を平面視したときに）に、光源１１０の発光部１１２は、貫通孔２ａの中心Ｐ１からずれて配置されている。
【００８４】
本実施の形態では、光源１１０の発光部１１２の光軸を貫通孔２ａの開口面に対して傾斜させている。これにより、光源１１０の発光部１１２を貫通孔２ａの中心Ｐ１から簡単にずらすことができる。つまり、光源１１０を傾けることで、発光部１１２を貫通孔２ａの中心Ｐ１からずらしている。
【００８５】
さらに、照明装置１では、貫通孔２ａの貫通方向から見たときに、光源１１０の発光部１１２の中心Ｐ２と貫通孔２ａの中心Ｐ１とを通る直線を第１直線Ｌ１とし、貫通孔２ａの中心Ｐ１と通り且つ第１直線Ｌ１に直交する直線を第２直線Ｌ２とし、この第２直線Ｌ２を境界にして分けられた２つの領域を第１領域Ａ１及び第２領域Ａ２とすると、灯具ユニット１００が貫通孔２ａに取り付けられたときに、光源１１０の発光部１１２は、第１領域Ａ１に存在し、電源ユニット２００の電源部２１０は、第２領域Ａ２に存在している。つまり、貫通孔２ａの貫通方向から見た場合に貫通孔２ａの中心Ｐ１を通る直線で２つの領域に分けたときに、光源１１０の発光部１１２と電源ユニット２００の電源部２１０とは異なる領域に配置されている。
【００８６】
これにより、発光部１１２と電源部２１０とを離間させることができるので、発光部１１２と電源部２１０とが互いの発熱の煽りを受けにくくすることができる。したがって、発光部１１２及び電源部２１０を所定の温度以下に容易に収めることができるので、断熱施工対応と高出力化とを両立した照明装置１を実現することができる。
【００８７】
なお、光源１１０の発光部１１２の中心Ｐ２は、発光部１１２と発光部１１２の光軸（最大光強度）との交差部である。
【００８８】
また、本実施の形態において、電源部２１０は、第１直線Ｌ１と重なる位置に配置されている。
【００８９】
これにより、電源部２１０を発光部１１２から最も遠ざけることができるので、発光部１１２と電源部２１０とが互いの発熱の煽りを一層受けにくくすることができる。また、本実施の形態においては、電源ユニット２００が灯具ユニット１００に対して移動可能に接続されているが、電源ユニット２００が灯具ユニット１００に対して固定接続されることで、電源部２１０を第１直線Ｌ１と重なる位置に配置することができる。
【００９０】
また、本実施の形態において、発光部１１２は、複数の発光素子と、複数の発光素子を一括封止する封止部材とを有する。具体的には、発光部１１２は、ＣＯＢ構造である。
【００９１】
ＣＯＢ構造の発光部１１２は熱がこもりやすいため、発光部１１２で発生する熱を効率よく放熱させることが望ましい。そこで、本実施の形態における照明装置１のように、電源部２１０を発光部１１２から遠ざけることで、発光部１１２が電源部２１０の熱の煽りを受けることを軽減できる。したがって、ＣＯＢ構造の発光部１１２であっても、発光部１１２で発生する熱を効率よく放熱させることができる。
【００９２】
また、本実施の形態における照明装置１において、取付バネ１８０は、第２直線Ｌ２と重なる位置に配置されている。具体的には、３つの取付バネ１８０のうち一対の取付バネ１８０が第２直線Ｌ２と重なる位置に配置されている。
【００９３】
これにより、図５に示すように、電源ユニット２００を光源１１０側方向に可動させたときに、電源ユニット２００が取付バネ１８０に当接することになる。つまり、電源ユニット２００の可動範囲を取付バネ１８０によって規制することができ、電源ユニット２００の電源部２１０を発光部１１２に近づかないようにすることができる。したがって、発光部１１２と電源部２１０との距離を一定以上に容易に維持することができるので、発光部１１２と電源部２１０とが互いの発熱の煽りを受けにくくすることができる。
【００９４】
また、本実施の形態における照明装置１において、電源ユニット２００は、灯具ユニット１００の固定端を基点に相対的に移動可能となっており、貫通孔２ａの貫通方向から見たときに、灯具ユニット１００の固定端は、第２領域Ａ２に位置し且つ貫通孔２ａと重ならない領域に位置しているとよい。
【００９５】
これにより、灯具ユニット１００の固定端を基点として電源ユニット２００を容易に移動させることができる。なお、灯具ユニット１００の固定端は、例えば、保持部１２８である。
【００９６】
（変形例）
以上、本発明に係る照明装置について、実施の形態に基づいて説明したが、本発明は、上記実施の形態に限定されるものではない。
【００９７】
例えば、上記の実施の形態において、光源１１０（ＬＥＤ光源）は基板上にＬＥＤチップを直接実装したＣＯＢ構造としたが、これに限らない。例えば、ＣＯＢ構造のＬＥＤモジュールに代えて、ＳＭＤ（Ｓｕｒｆａｃｅ  Ｍｏｕｎｔ  Ｄｅｖｉｃｅ）構造のＬＥＤモジュールを用いても構わない。ＳＭＤ構造のＬＥＤモジュールは、樹脂製のパッケージ（容器）の凹部の中にＬＥＤチップ（発光素子）を実装して当該凹部内に封止部材（蛍光体含有樹脂）を封入したパッケージ型のＬＥＤ素子（ＳＭＤ型ＬＥＤ素子）を、１個又は複数個、基板１１１に実装した構成である。光源１１０としてＳＭＤ構造のＬＥＤモジュールを用いる場合、光源１１０の発光部の中心は、基板１１１と光源１１０の光軸（最大光強度）との交差部とすればよい。
【００９８】
また、上記の実施の形態において、発光部１１２は、青色ＬＥＤチップと黄色蛍光体とによって白色光を放出するように構成したが、これに限らない。例えば、赤色蛍光体及び緑色蛍光体を含有する蛍光体含有樹脂を用いて、これと青色ＬＥＤチップとを組み合わせることによりに白色光を放出するように構成しても構わない。
【００９９】
また、上記の実施の形態において、ＬＥＤとして、青色ＬＥＤチップを用いたが、これに限らない。例えば、ＬＥＤとしては、青色以外の色を発光するＬＥＤチップを用いても構わない。この場合、蛍光体としては、ＬＥＤの発光波長に応じて適宜選択すればよい。
【０１００】
また、上記の各実施の形態では、発光素子としてＬＥＤを例示したが、発光素子としては、半導体レーザ等の半導体発光素子、又は、有機ＥＬ（Ｅｌｅｃｔｒｏ  Ｌｕｍｉｎｅｓｃｅｎｃｅ）や無機ＥＬ等のその他の固体発光素子を用いてもよい。
【０１０１】
また、上記の各実施の形態における照明装置は、天井以外の造営材（被取付部）に設置されていてもよい。また、本発明は、ダウンライト以外の照明器具にも適用することができる。
【０１０２】
その他、各実施の形態に対して当業者が思いつく各種変形を施して得られる形態や、本発明の趣旨を逸脱しない範囲で各実施の形態における構成要素及び機能を任意に組み合わせることで実現される形態も本発明に含まれる。
【符号の説明】
【０１０３】
１  照明装置
２ａ  貫通孔
１００  灯具ユニット
１１０  光源
１１２  発光部
１２０  器具本体
１２６  放熱部
１２８  保持部
１８０  取付バネ
２００  電源ユニット
２１０  電源部
３００  電力線
【図１】
2020102391.tif 000003
【図２】
2020102391.tif 000004
【図３】
2020102391.tif 000005
【図４】
2020102391.tif 000006
【図５】
2020102391.tif 000007